(57)【要約】【課題】出血している血管組織を効果的に圧迫止血する機能を備え、効率良く出血を吸引可能な手術用吸引管を提案すること。【解決手段】手術用吸引管１を手術箇所に挿入し、半球面状の先端面３ａをその血管組織１１の部分に押し付けて出血を吸引する。出血は、多孔質素材からなる吸引管先端部分３の微細孔に毛細管力によって吸い込まれ、中空部２ｂを介して外部に吸引される。微細孔が血管組織１１に接触しているので、血管組織１１の一部が吸引力によって引き剥がされて吸引されてしまうことがなく、血管組織が吸引されて傷が付き出血がかえって多くなる等の弊害の発生を防止できる。吸引した血管組織が吸引孔に詰まって吸引できなくなることもない。手術箇所の血管組織１１は半球面形状の先端面３ａによって圧迫されているので、出血を吸引しながら、当該血液組織１１の出血部分を圧迫止血することができる。【選択図】図１
2009082455.tif 000002
【特許請求の範囲】
【請求項１】
筒状の吸引管本体部分と、
この吸引管本体部分の先端開口を封鎖している吸引管先端部分と、
前記吸引管本体部分の中空部に連通している複数の吸引孔とを有し、
前記吸引管先端部分の先端面形状は、球面などの凸曲面によって規定されており、
前記吸引孔は、前記吸引管本体部分の外周面部分、前記吸引管先端部分、および、前記吸引管本体部分と前記吸引管先端部分の境界部分のうち、少なくとも一つの部分に形成されていることを特徴とする手術用吸引管。
【請求項２】
請求項１に記載の手術用吸引管において、
前記吸引管先端部分は、中空あるいは中実の球状体あるいは半球状体であることを特徴とする手術用吸引管。
【請求項３】
請求項１に記載の手術用吸引管において、
前記吸引管先端部分は透明な素材から形成されており、
当該吸引管先端部分の前記先端面は凸レンズ面であることを特徴とする手術用吸引管。
【請求項４】
請求項３に記載の手術用吸引管において、
前記吸引管先端部分には球状レンズが形成されていることを特徴とする手術用吸引管。
【請求項５】
請求項１ないし４のうちのいずれかの項に記載の手術用吸引管において、
前記吸引管本体部分と前記吸引管先端部分の境界部分は、前記吸引管先端部分に比べて括れた部分となっており、
当該境界部分に前記吸引孔が形成されていることを特徴とする手術用吸引管。
【請求項６】
請求項１ないし５のうちのいずれかの項に記載の手術用吸引管において、
前記吸引管先端部分と前記吸引管本体部分の境界部分に、前記吸引管本体部分の中空部に繋がる複数個の吸引孔が形成されており、
前記吸引管先端部分の表面の少なくとも一部分には、毛細管力によって液体が移動可能な微細溝が多数形成されており、
各微細溝の一端は前記境界部分まで延びていることを特徴とする手術用吸引管。
【請求項７】
請求項１ないし４のうちのいずれかの項に記載の手術用吸引管において、
前記吸引管先端部分は、毛細管力によって液体を吸引可能な多数の微細孔が内部に形成されている多孔質素材から形成されており、
これらの微細孔が前記吸引孔として機能し、これらの微細孔を介して吸引された液体が前記吸引管本体部分の前記中空部に導かれることを特徴とする手術用吸引管。
【請求項８】
請求項１ないし７のうちのいずれかの項に記載の手術用吸引管において、
前記吸引管本体部分と前記吸引管先端部分は単一部品として形成されていることを特徴とする手術用吸引管。
【請求項９】
請求項１ないし７のうちのいずれかの項に記載の手術用吸引管において、
前記吸引管本体部分の前記先端開口に、別個に成形した前記吸引管先端部分が固定されていることを特徴とする手術用吸引管。
【請求項１０】
請求項９に記載の手術用吸引管において、
前記吸引管先端部分は、前記吸引管本体部分の前記先端開口に差し込み固定されている連結用の軸部を備えており、
この軸部の外周面と前記吸引管本体部分の内周面の間には複数の連通溝が形成されており、
これらの連通溝における前記吸引管本体部分の先端開口側の端が前記吸引孔として機能し、これらの連通溝の他端が前記吸引管本体部分の中空部に連通していることを特徴とする手術用吸引管。
【発明の詳細な説明】
【技術分野】
【０００１】
本発明は、顕微鏡下手術、皮膚外科手術、口腔内手術、骨関節手術、胸腔手術、腹腔手術、脳内手術、頭頸部手術などの手術において、手術箇所から血液や洗浄液などの液体を吸引して除去するために用いる手術用吸引管に関する。
【背景技術】
【０００２】
手術用吸引管は、一般に、細長い円筒状の吸引管からなり、この吸引管の先端部には多数の吸引孔が形成されているものもある。手術用吸引管には吸引ポンプなどの負圧源が接続されており、手術用吸引管の先を患者の手術箇所に挿入して位置決めすると、手術箇所からの出血、そこに溜まっている洗浄液などが吸引孔から吸引管本体部分の内部に吸引され、吸引管本体部分を通って外部に除去される。
【０００３】
ここで、血液などの吸引時に、出血している血管組織やその周囲組織を同時に吸い込んでしまうと、組織が吸引孔あるいは吸引管本体部分の内部に詰まり、血液などを吸引できなくなってしまう。また、血管組織が吸引されることにより、出血箇所の血管部分が大きく開き、出血を増加させてしまうおそれもある。
【０００４】
吸引孔の詰まりなどを防止するために、特許文献１に開示の吸引器においては、吸引管の先端部の吸引用の穴を筒状のスポンジのカバーで覆うようにしている。吸引管の吸引用の穴がスポンジで覆われているので、吸引用の穴が手術箇所の血管組織に直接に接触して目詰まりが発生することを回避でき、血液などの吸引性能を維持できる。
【０００５】
また、特許文献２に開示の手術用吸引ノズルにおいては、先端に吸引口を備えた吸引管を筒状カバーによって同軸状態に囲むようにしている。筒状カバーによって吸引管が手術箇所の人体組織に直接に接触しないので、血管組織などが吸引により損傷を受けることを防止でき、吸引口が目詰まりしてしまうことも防止できる。
【０００６】
さらに、特許文献３に開示の医療用吸引管においては、当該吸引管を多重の筒構造とし、外側の筒に形成した多数の孔から吸引された血液などの液体を毛細管力によって内側の筒に形成した孔に導き、内側の筒の内側を吸引することにより、内側の筒内に入り込んだ液体を吸引して外部に排出するようにしている。手術箇所の人体組織に接触する外側の筒の孔には大きな吸引力が作用しないので、人体組織の一部が吸引されて損傷を受けたり、吸引された組織によって孔が詰まるという弊害を防止できる。
【特許文献１】実開平７−２２７４３号公報
【特許文献２】特開平９−２９９４７５号公報
【特許文献３】特開２００１−２３１８５０号公報
【発明の開示】
【発明が解決しようとする課題】
【０００７】
このように、従来の手術用吸引管においては、その問題点として、吸引用の孔が人体組織に直接に触れて人体組織が吸引されて損傷が生ずる点、および、吸引された組織によって吸引用の孔が目詰まりして吸引性能が低下する点に着目され、これらの問題点を解決するために各種の提案がなされている。
【０００８】
ここで、手術用吸引管は手術箇所に先端部が位置決めされるので、この先端部分を利用して、手術箇所における出血している血管組織を効果的に圧迫しながら止血凝固を行うことができると便利である。また、出血している血管組織を拡大視できる機能が付いていると便利である。しかしながら、このような点については従来においては何ら着目されておらず、したがって、そのための提案も何らなされていない。
【０００９】
本発明の課題は、このような点に鑑みて、出血している血管組織を効果的に圧迫止血する機能を備えた手術用吸引管を提案することにある。
【００１０】
また、本発明の課題は、血管組織を拡大視する機能を備えた手術用吸引管を提案することにある。
【００１１】
さらに、本発明の課題は、上記の各機能と共に、人体組織を吸い込むことがなく、人体組織を傷つけることがなく、しかも、吸引用の孔に目詰まりが生ずることがない手術用吸引管を提案することにある。
【課題を解決するための手段】
【００１２】
上記の課題を解決するために、本発明の手術用吸引管は、
筒状の吸引管本体部分と、
この吸引管本体部分の先端開口を封鎖している吸引管先端部分と、
前記吸引管本体部分の中空部に連通している複数の吸引孔とを有し、
前記吸引管先端部分の先端面形状は、球面などの凸曲面によって規定されており、
前記吸引孔は、前記吸引管本体部分の外周面部分、前記吸引管先端部分、および、前記吸引管本体部分と前記吸引管先端部分の境界部分のうち、少なくとも一つの部分に形成されていることを特徴としている。
【００１３】
本発明の手術用吸引管の先端面は凸曲面となっている。したがって、血液などの吸引時に、その先端面で手術箇所における出血している血管部分を圧迫することにより、出血部分を圧迫止血することができる。また、先端面により血管部分を圧迫しても、凸曲面となっているので血管組織に傷が付くこともない。例えば、前記吸引管先端部分を、中空あるいは中実の球状体あるいは半球状体とすればよい。
【００１４】
また、本発明の手術用吸引管では、前記吸引管先端部分が透明な素材から形成されており、当該吸引管先端部分の前記先端面は凸レンズ面であることを特徴としている。例えば、前記吸引管先端部分に球状レンズを形成することができる。
【００１５】
手術用吸引管の先端部分に凸レンズを形成しておけば、出血している血管組織を当該凸レンズを介して拡大視することができる。したがって、吸引管先端部分の先端面によって圧迫止血した血管を、当該吸引管先端部分を介して拡大した直視下で、止血凝固させる操作を行うことができる。
【００１６】
ここで、本発明においては、前記吸引管本体部分と前記吸引管先端部分の境界部分を、前記吸引管先端部分に比べて括れた部分となるようにし、当該境界部分に前記吸引孔を形成しておくことが望ましい。
【００１７】
吸引孔を手術用吸引管の先端ではなく、それよりも後側の部位における括れた部分に形成しておくと、吸引孔が直接に血管組織に接触することを回避できる。したがって、吸引孔に血管組織が吸引され、血管組織が傷ついてしまうという弊害を回避できる。また、血管組織を吸引することがないので、吸引孔が血管組織で封鎖されて目詰まり状態になり、血液などを吸引する能力が低下するという弊害も回避できる。さらには、括れた境界部分によって形成される空間に出血が溜まり、溜まった血液が吸引孔を介して吸引されるので、血液組織を吸引孔の中に吸い込んでしまうことを確実に防止できる。
【００１８】
次に、本発明においては、前記吸引管先端部分と前記吸引管本体部分の境界部分に、前記吸引管本体部分の中空部に繋がる複数個の吸引孔が形成されており、前記吸引管先端部分の表面の少なくとも一部分に、毛細管力によって液体が移動可能な微細溝が多数形成されており、各微細溝の一端が前記境界部分まで延びていることが望ましい。
【００１９】
このように血管組織に直接に接触あるいは圧迫させる吸引管先端部分の表面に微細溝を形成しておけば、これらの微細溝を介して血液を効率良く吸引孔が形成されている位置まで移動させることができる。したがって、血液などの液体の吸引性能を高めることができる。
【００２０】
また、上記のような吸引孔を形成する代わりに、前記吸引管先端部分を、毛細管力によって液体を吸引可能な多数の微細孔が内部に形成されている多孔質素材から形成し、これらの微細孔を前記吸引孔として機能させ、これらの微細孔を介して吸引された液体を前記吸引管本体部分の前記中空部に導くこともできる。この場合においても、血液組織に直接に接触している吸引管先端部分の微細孔を介して効率良く血液などの液体を吸引できる。また、毛細管力が発生する程度の微細孔であるので、血管組織を吸い込むことはないので、直接に血管組織に接触していても血管組織が傷つくおそれもない。特に、先端面が凸曲面とされているので、血管組織の損傷を確実に防止できる。
【００２１】
一方、本発明の手術用吸引管では、前記吸引管本体部分と前記吸引管先端部分は単一部品として形成することができる。
【００２２】
この代わりに、これらを別個に製作しておき、前記吸引管本体部分の前記先端開口に、別個に成形した前記吸引管先端部分を固定してもよい。この場合、前記吸引管先端部分に、前記吸引管本体部分の前記先端開口に差し込み固定されている連結用の軸部を形成しておき、この軸部の外周面と前記吸引管本体部分の内周面の間に複数の連通溝を形成し、これらの連通溝における前記吸引管本体部分の先端開口側の端を前記吸引孔として機能させ、これらの連通溝の他端を前記吸引管本体部分の中空部に連通させるようにしてもよい。
【発明の効果】
【００２３】
本発明の手術用吸引管を用いると、血液を吸引孔から吸引しながら、その凸曲面の先端面によって出血している血管組織を効果的に圧迫しながら止血できるという作用効果が得られる。
【００２４】
また、凸レンズとして機能する吸引管先端部分を備えている場合には、血液を吸引しながら、出血部分を拡大視しながら出血部分を圧迫止血できるという作用効果が得られる。
【００２５】
さらに、吸引管本体部分と吸引管先端部分の境界部分を括れた部分とし、ここに吸引孔を設けた場合には、吸引孔に血管組織が直接接触することがなく、括れた境界部分に溜まった血液が吸引孔から吸引される。よって、血管組織の損傷、血管組織の吸引、血管組織による吸引孔の目詰まりのいずれも起こすことなく、血液などの液体を手術箇所から吸引できるという作用効果が得られる。
【発明を実施するための最良の形態】
【００２６】
以下に、図面を参照して、本発明を適用した手術用吸引管の実施の形態を説明する。
【００２７】
（実施の形態１）
図１（ａ）および（ｂ）は実施の形態１に係る手術用吸引管を示す側面図および縦断面図である。実施の形態１に係る手術用吸引管１は、円筒状の吸引管本体部分２と、この吸引管本体部分２の円形の先端開口２ａを封鎖している吸引管先端部分３とを備えている。吸引管先端部分３は、吸引管本体部分２の外径寸法とほぼ同一の直径の半球形状のものであり、半球面状の先端面３ａを備えている。
【００２８】
吸引管本体部分２は例えばプラスチック成形部品であり、吸引管先端部分３は、毛細管力によって血液などの液体を吸引可能な大きさの多数の微細孔が内部に形成されている多孔質素材からなる部品である。この吸引管先端部分３は、その平坦な円形の後端面３ｂが、吸引管本体部分２の先端開口２ａに同軸状態で、溶着、接着接合、その他の方法により固定されている。
【００２９】
この構成の手術用吸引管１を手術箇所に挿入し、半球面状の先端面３ａをその血管組織１１の部分に押し付け、この状態で出血を吸引する。出血は、多孔質素材からなる吸引管先端部分３に形成されている微細孔に毛細管力によって吸い込まれる。微細孔は内部において、円形の後端面３ｂから吸引管本体部分２の内部の中空部２ｂに繋がっている。この中空部２ｂには不図示の吸引ポンプによる吸引力が作用しており、負圧状態になっている。したがって、中空部２ｂに導かれた血液はここを通って吸引される。
【００３０】
吸引管本体部分２に形成した大きな吸引孔が直接に血管組織１１に接触して吸引動作を行う場合とは異なり、毛細管力が作用する微細孔が血管組織１１に接触しており、血管組織１１の一部が吸引力によって引き剥がされて吸引されてしまうことがない。よって、血管組織が吸引されて傷が付き出血がかえって多くなる等の弊害の発生を防止できる。また、吸引した血管組織が吸引孔に詰まって吸引できなくなることもない。さらに、手術箇所の血管組織１１は半球面形状の先端面３ａによって圧迫されているので、出血を吸引しながら、当該血液組織１１の出血部分を圧迫止血することができる。
【００３１】
ここで、多孔質素材からなる吸引管先端部分３の形状は半球形状に限らず、凸曲面を備えた形状のものであればよい。例えば、図２（ａ）、（ｂ）に側面図および縦断面図を示す手術用吸引管１Ａのように、球状体の吸引管先端部分３Ａを取り付けても良い。なお、手術用吸引管１Ａのその他の構成は図１の手術用吸引管１と同一であるので、図２における対応する部位には同一の符号を付してある。
【００３２】
また、図１および図２の実施の形態では、多孔質素材からなる吸引管先端部分３、３Ａをそれぞれ、中実の半球体、中実の球状体としてあるが、中空状のものとすることもできる。例えば、図３（ａ）、（ｂ）に側面図および縦断面図を示す手術用吸引管１Ｂのように、吸引管先端部分３Ｂを中空の球状体としてもよい。なお、手術用吸引管１Ｂのその他の構成は図１の手術用吸引管１と同一であるので、図３における対応する部位には同一符号を付してある。
【００３３】
（実施の形態２）
図４（ａ）および（ｂ）は実施の形態２に係る手術用吸引管を示す側面図および縦断面図である。実施の形態２の手術用吸引管２０は、円筒状の吸引管本体部分２２と、この吸引管本体部分２２の円形の先端開口２２ａを封鎖している吸引管先端部分２３とを備えている。吸引管先端部分２３は、吸引管本体部分２２の外径寸法とほぼ同一の直径の半球形状のものであり、半球面状の先端面２３ａを備えている。
【００３４】
吸引管本体部分２２および吸引管先端部分２３は、例えば単一のプラスチック成形品である。これらを個別に成形して相互に接合してもよい。吸引管先端部分２３の表面には、その先端面２３ａの頂点２３ｃを中心として一定の角度間隔で平坦な円環状の後端面３３ｂまで延びる多数本の微細溝２３ｅが形成されている。微細溝２３ｅは、毛細管力によって血液などの液体が移動可能な大きさの溝である。
【００３５】
また、吸引管本体部分２２の円形の先端開口２２ａの円環状端面は、その円周方向に沿って一定の角度間隔で半円形に切り欠かれており、この円環状端面と吸引管先端部分３３の平坦な円環状後端面３３ｂとの間に、複数個の吸引孔２４が形成されている。各吸引孔２４は内部の中空部２２ｂに繋がっている。
【００３６】
この構成の手術用吸引管２０では、手術箇所の血管組織１１を半球面状の先端面２３ａによって圧迫しながら血液を吸引して除去し、また、圧迫止血を施すことができる。血管組織１１の出血は吸引管先端部分２３の半球面状の先端面２３ａに形成されている多数状の微細溝２３ｄに吸い取られ、微細溝２３ｄに沿って吸引孔２４の側に導かれ、吸引孔２４に作用している吸引力によって吸引管本体部分２２の中空部２２ｂに吸い込まれた後、中空部２２を通って外部に排出される。この構成の手術用吸引管２０によっても、実施の形態１の手術用吸引管１と同様な作用効果が得られる。
【００３７】
ここで、表面に微細溝が形成されている吸引管先端部分２３の形状は半球形状に限らず、凸曲面を備えた形状のものであればよい。例えば、図５（ａ）、（ｂ）および（ｃ）に側面図、縦断面図および正面図を示す手術用吸引管２０Ａのように、球状体の吸引管先端部分２３Ａを取り付けても良い。なお、手術用吸引管２０Ａのその他の構成は図４の手術用吸引管１と同一であるので、図５における対応する部位には同一の符号を付してある。
【００３８】
この構成の手術用吸引管２０Ａにおいては、吸引管本体部分２２の外径寸法に比べて、吸引管本体部分２３Ａの直径が大きい。したがって、吸引孔２４が形成されている部分、すなわち、吸引管本体部分２２と吸引管先端部分２３Ａの境界部分が、吸引管先端部分２３Ａに比べて小径となった括れ状態になっている。したがって、手術箇所に挿入されて、吸引管本体部分２３Ａがその血管組織を圧迫した状態においては、吸引孔２４が形成されている部分が直接に血管組織に接触して血管組織の一部が吸引されてしまうことがなく、吸引孔２４に目詰まりが生ずることもない。さらに、吸引孔２４と血管組織の間には隙間が生じ、ここに、血管組織の出血が溜まる。したがって、当該隙間に位置している吸引孔２４から効率良く出血を吸引して外部に排出できるという作用効果が得られる。
【００３９】
なお、図４、５に示す例では、吸引管先端部分２３、２３Ａを中空のものとしてあるが、中実のものとすることも可能である。
【００４０】
（実施の形態３）
図６（ａ）および（ｂ）は、実施の形態３に係る手術用吸引管を示す側面図および縦断面図である。実施の形態３の手術用吸引管３０は、基本的に、図５に示す手術用吸引管２０Ａと同様である。異なる点は、吸引管本体部分３２の先に取り付けた吸引管先端部分３３の表面に微細溝が形成されていないことと、吸引管先端部分３３が透明な素材から形成された中実の凸レンズ体（球状レンズ）となっていることである。
【００４１】
この構成の手術用吸引管３０においては、その球体状の吸引管先端部分３３の球状面３３ａによって血管組織を圧迫しながら出血を吸引孔３４を介して吸引できる。また、出血している血管組織の部分を、吸引管先端部分３３を介して拡大して直視しながら吸引操作および圧迫止血操作を行うことができる。よって、これらの操作を正確に行うことができるという作用効果が得られる。また、図５に示す手術用吸引管２０Ａと同様な作用効果も得られる。
【００４２】
ここで、吸引管先端部分３３は、先端面が凸曲面形状のものであれば、球状体以外の凸レンズ形状でもよい。例えば、図７（ａ）および（ｂ）に側面図および縦断面図を示す手術用吸引管３０Ａでは、吸引管先端部分３３Ａが半球状の前側部分３３１と、この後側の取り付け円錐台状の後側部分３３２とを備えた中空体から形成されている。また、前側部分３３１にはその中心に向けて肉厚が漸増した凸レンズ部分が形成されている。
【００４３】
また、図６の手術用吸引管３０においては、吸引管本体部分３２と吸引管先端部分３３を、接着、溶着などの方法により固定することができる。これらの間の固定方法としては、はめ込み構造を採用することも可能である。
【００４４】
例えば、図８に示す手術用吸引管３０Ｂのように、吸引管先端部分３３Ｂとして、球状体３３３と、この外周面から半径方向に突出している十字状断面の軸部３３４とを備えた形状のものとし、軸部３３４の根元部分のみを残し、吸引管本体部分３２の先端開口３２ａから中空部３２ｂ内にはめ込み固定してもよい。勿論、接着剤を併用してもよい。この結果、軸部３３４と、吸引管本体部分３２の内周面との間に連通溝３５が形成される。本例では４条の連通溝３５が形成される。これらの連通溝３５は、吸引管本体部分３２の先端開口３２ａが外部に露出しており、これらが吸引孔３４として機能する。また、これらの連通溝３５の他端は吸引管本体部分３２の中空部３２ｂに連通している。
【００４５】
また、図９に示す手術用吸引管３０Ｃのように、吸引管先端部分３３Ｃとして、球状体３４３と、この外周面から半径方向に突出している円筒状の連結筒３４４とを備えた形状のものとし、この連結筒３３４に、吸引管本体部分３２の先端開口３２ａの側の部分を差し込むようにしてもよい。この場合には、図６の場合と同様に、球状体３４３と連結筒３４４の間の部位に、円周方向に沿って所定の角度間隔で吸引孔３４を形成しておけばよい。
【００４６】
図８、９に示すように、はめ込み式あるいは差し込み式の構造を採用すると、既存の吸引管を吸引管本体部分３２として利用することができるので、便利である。
【００４７】
（実施の形態４）
図１０（ａ）および（ｂ）は、本発明を適用した実施の形態４に係る手術用吸引管を示す側面図および縦断面図である。実施の形態４に係る手術用吸引管４０は、上記の実施の形態２と実施の形態３を組み合わせた構成のものである。すなわち、手術用吸引管４０は、円筒状の吸引管本体部分４２と、この先端開口４２ａに取り付けた中空の球体からなる吸引管先端部分４３とを備えている。吸引管先端部分４３の表面における前側半分の先端面は半球面４３１であり、この部分は透明な凸レンズ（球面レンズ）として機能する。これに対して、その後側半分の半球面４３２には多数の微細溝４３３が形成されている。
【００４８】
吸引管本体部分４２の先端開口４２ａを規定している円環状端面には円周方向に沿って一定の角度間隔で半円形に切り取られた切り欠き部が形成されており、ここに取り付けた吸引管先端部分４３の後側の半球面４３２との間に複数個の吸引孔４４が形成されている。微細溝４３３は吸引管本体部分の先端開口４２ａの円形端面に向かう溝であり、血液などの液体が毛細管力で移動できる微細なものである。
【００４９】
この構成の手術用吸引管４０では、半球面４３２によって血管組織を圧迫しながら、微細溝４３３によって効率良く出血を吸引孔４４に向けて導き、ここから内部に吸引して排出することができる。
【００５０】
（実施の形態の作用効果）
上記の各実施の形態によるメリットを以下に纏めて説明する。
【００５１】
まず、第１のメリットは、出血する血管組織を吸い込んでしまい出血を吸引できなくなったり、出血を増加させることなく、吸引管の先端部分により効果的に圧迫止血できる、ということである。
【００５２】
第２のメリットは、吸引管先端部分の凸レンズで出血する血管組織を拡大視できる、ということである。
【００５３】
第３のメリットは、吸引管先端部分と吸引管本体部分の境界部分にできる間隙に出血した血液を集めることができる、ということである。
【００５４】
第４のメリットは、吸引管先端部分と吸引管本体部分の境界部分に形成される括れ部分に吸引孔が形成されているので、血管組織を吸い込むことなく血液を吸引できる、ということである。
【００５５】
さらに、第５のメリットは、吸引管先端部分の凸曲面で圧迫止血した血管を、透明球状レンズと組織の隙間より、拡大直視下に血管を止血凝固できる、ということである。
【００５６】
（その他の実施の形態）
吸引管本体部分は直線状のものでなくてもよく、湾曲していてもよい。また、吸引管本体部分は円筒でなくてもよく、楕円形、多角形などの筒状であってもよい。
【００５７】
さらに、本発明の手術用吸引管は、顕微鏡下手術、皮膚外科手術、口腔内手術、骨関節手術、胸腔手術、腹腔手術、脳内手術、頭頸部手術などの各種の手術に用いることができる。それぞれの場合に適合するように、吸引管本体部分の大きさ、吸引管先端部分の大きさ、吸引孔の大きさ、個数を適宜変更することにより、微小な手術から大きな手術まで対応できる。
【図面の簡単な説明】
【００５８】
【図１】本発明の実施の形態１に係る手術用吸引管を示す側面図および縦断面図である。
【図２】実施の形態１の変形例を示す側面図および縦断面図である。
【図３】実施の形態１の変形例を示す側面図および縦断面図である。
【図４】実施の形態２に係る手術用吸引管を示す側面図および縦断面図である。
【図５】実施の形態２の変形例を示す側面図および縦断面図である。
【図６】実施の形態３に係る手術用吸引管を示す側面図および縦断面図である。
【図７】実施の形態３の変形例を示す側面図および縦断面図である。
【図８】実施の形態３の変形例を示す縦断面図および横断面図である。
【図９】実施の形態３の変形例を示す説明図である。
【図１０】本発明を適用した実施の形態４に係る手術用吸引管を示す側面図および縦断面図である。
【符号の説明】
【００５９】
１、２０、２０Ａ、３０Ａ、３０Ｂ、３０Ｃ、４０  手術用吸引管
２、２２、３２、４２  吸引管本体部分
２ａ、２２ａ、３２ａ  先端開口
２ｂ、２２ｂ、３２ｂ、４２ｂ  中空部
３、２３、２３Ａ、３３、３３Ａ、３３Ｂ、４３  吸引管先端部分
３ａ  先端面
１１  血管組織
２３ｃ  頂点
２４、３４、４４  吸引孔
３３１  前側部分
３３２  後側部分
３３３  球状体
３３４  軸部
３４３  球状体
３４４  連結筒
４３１、４３２  半球面
４３３  微細溝
【図１】
2009082455.tif 000003
【図２】
2009082455.tif 000004
【図３】
2009082455.tif 000005
【図４】
2009082455.tif 000006
【図５】
2009082455.tif 000007
【図６】
2009082455.tif 000008
【図７】
2009082455.tif 000009
【図８】
2009082455.tif 000010
【図９】
2009082455.tif 000011
【図１０】
2009082455.tif 000012